(57)【要約】【課題】携帯電話の限られた電力を有効に利用するべく、省電力タイプの携帯電話震動装置を提供する。【解決手段】携帯電話の外殻１０内に弾力部２０と震動部３０を設け、該震動部３０を該弾力部２０上に設置し、該弾力部２０は自由な周波の固有震動数を有し、且つ該震動部３０の震動方向に依って震動するのであり、更に該震動部３０上には出力部４０を設け、且つ該出力部４０のもう一端は電磁コイル５０に相対させ、こうして携帯電話の着信時に震動回路を駆動させ、該出力部４０が該震動部３０にある一定の周波の外力を施し、該出力部４０が該震動部３０上で出力する外力の角周波が該弾力部２０固有の周波数に共振させる。【選択図】        図１
2004223336.tif 000002
【特許請求の範囲】
【請求項１】
携帯電話着信時に震動するべく携帯電話の外殻内部に設置されており、少なくとも一つ以上の弾力部に震動部が固定されている省電力タイプの携帯電話震動装置において、
該震動部は該弾力部固有の自由な固有周波数によって震動するものであり、且つ該震動部の震動方向には該震動部上のある一定の個所に出力部が設けられており、更に該震動部上には出力部が設けられており、該出力部のもう一端には一組の電磁コイルが対応して設けられており、該コイルの電流は携帯電話着信時に震動回路が導通して流れるものであり、
該出力部が震動部に対してある一定の周波数の外力を施すと、該出力部が該震動部上で出力する外力の角周波数は、共振作用で該弾力部固有の自由な固有周波数と等しくなり、携帯電話着信時に該出力部が駆動されると該震動部が連動されて該弾力部上で震動し、震動が携帯電話の外殻の上に伝動されること、を特徴とする省電力タイプの携帯電話震動装置。
【請求項２】
該震動部は弾力部上にて震動し、該震動部は剛性を具有する金属或いは非金属による板状のものとし、且つ該弾力部の作用力によって支えられるものであり、
該震動の抵抗力定数を決定するべく、該震動部の質量を該弾力部の弾力係数に対応させることで、該弾力部固有の自由な固有周波数及び振動の質を制御すること
を特徴とする請求項１記載の省電力タイプの携帯電話震動装置。
【請求項３】
該弾力部上で震動を維持する震動部は、少なくとも一つ以上の該震動部上で扇上に振動する振り子を連動し、該振動部と振り子の間の相対運動で、該振り子のもう一端と携帯電話の外殻とを接触させ、該振動部の振動動作によって低い抵抗力で該外殻上に振動を伝導させることを特徴とする請求項１記載の省電力タイプの携帯電話震動装置。
【請求項４】
該振動部は少なくとも一つ以上の弾力部上に連結されており、該弾力部はばねとし、該振動部がパイロット桿の導引を受けて圧縮方向に振動し、
また該振動部が力を受ける中心位置上にて連結されている出力部は、電磁力によって吸引されて動く金属の円柱である
ことを特徴とする請求項１記載の省電力タイプの携帯電話震動装置。
【請求項５】
板状を呈した該振動部の一端は撓性を具有する弾力部の一端と連結されており、該振動部が扇型の方向で振動するようになっており、
また該振動部のもう一端には出力部が設けられており、該出力部は磁力によって吸引される磁石、或いは金属である
ことを特徴とする請求項１記載の省電力タイプの携帯電話震動装置。
【請求項６】
該振動部に枢設されて扇型を描いて振動する振り子は、剛性を具有する材質による桿もしくは板状のものとし、そのもう一端にはハンマーヘッドが形成されており、且つ該枢設個所付近は携帯電話外殻の支部によって上下が支えられており、
こうして該振動部の振動作用力が形成され、該振り子が連動し、且つ該ハンマーヘッドが相対運動をし、該ハンマーヘッドが該外殻にぶつかることによって、該外殻の振動が強まる
ことを特徴とする請求項３記載の省電力タイプの携帯電話震動装置。
【発明の詳細な説明】
【０００１】
【発明の属する技術分野】
本発明は、省電力タイプの携帯電話震動装置に係り、特に携帯電話着信時の震動時の電力消耗を極限に抑えつつ、震動時間を維持させる省電力タイプの携帯電話震動装置に関わる。
【０００２】
【従来の技術】
携帯電話を使用する際、着信の音楽が他人の妨げとならないよう、震動によって着信を知らせる機能が既に普及している。
その震動装置の主な構造を簡単に説明すれば、着信によって電流が相通するとモータや震動モータが駆動し、これらモータの回転軸が偏心軸を連動して回転させ、該偏心軸のぶつかりによって震動が起こるようになっている。
【０００３】
【発明が解決しようとする課題】
しかし上述のような公知における震動装置には、次のような欠点がある。
それは携帯電話が着信を知らせる震動を開始してから電話を受けるまで、震動モータが回転を続けることにあり、こうすることで大量の電力を消耗してしまうことである。
そこで携帯電話の限られた電力を有効に利用するべく、本発明の省電力タイプの携帯電話震動装置を提供する。
【０００４】
【課題を解決するための手段】
携帯電話の外殻内に、少なくとも一つ以上の弾力部と震動部とを設け、該震動部を該弾力部上に設置し、該弾力部は自由な周波の震動を固有し、且つ該震動部の震動方向に依って震動するのであり、更に該震動部上には出力部を設け、且つ該出力部のもう一端は電磁コイルに相対させ、こうすることで携帯電話の着信時に震動回路が駆動し、該出力部が該震動部にある一定の周波の外力を施し、該出力部が該震動部上で出力する外力の角周波で該弾力部を共振させ、出力部が震動部を伴って該弾力部上で震動し、少ない消耗電力で震動を維持させる。
【０００５】
【発明実施の形態】
図１，２に示すように、本発明は主に外殻１０内の設置個所に設けることで電話の着信を知らせるべく震動を起す装置である。また該外殻内には該外殻１０によって圧縮されている弾力部２０を具有し、該弾力部２０上には板状を呈した震動部３０が固設されている。こうして該震動部３０が該弾力部２０の圧縮に伴って動くことで該震動部３０が震動するようになっている。
該震動部３０は弾力部２０の中心に位置し、該弾力部２０の圧縮方向と平行で突設されている出力部４０が設けられている。
該出力部４０とは電磁力によって吸引されて動く金属の円柱状を呈した棒であり、もう一端には該外殻上に固定されている電磁コイル５０と相対している。
該電磁コイル５０においては、その電流は携帯電話着信時に震動回路が駆動し、並びに周期性をもった電流の導通により、該出力部４０が該震動部３０に対してある一定の周期で外力を提供するようになる。
該出力部４０からの外力と、該震動部３０の震動を受ける該弾力部２０の内応力及び抵抗の整合により、該出力部４０の外力作用角周波ωは、該弾力部２０の自由な固有周波数ωοと等しくなる（ω＝ωο）、即ち共振作用の関係となる。
【０００６】
携帯電話が着信する際、該電磁コイル５０が周期性を以って励磁され、該出力部４０が該弾力部２０の圧縮方向に運動し、こうすることで該震動部３０が該弾力部２０上で震動すると同時に、少ない電力で該震動部３０の震動を維持することができるようになる。該震動部３０が維持する震動作用により、該弾力部２０などの各部位も力の伝動を続け、こういったエネルギーが該外殻１０上に伝わり、震動となって使用者に伝えることができるのである。
また該出力部４０は該電磁コイル５０が励磁されることにより、該震動部３０の中心に駆動や震動の外力を発生させる。更に該震動部３０上には、二つ或いは二つ以上のパイロット桿３１が設けられており、これは該出力部４０の出力方向と平行を配置されており、且つ平滑な表面を具有し、こうして該震動部３０が更に安定して該弾力部２０上にて震動を続けることができるようになっている。
【０００７】
上述により、該震動部３０の震動は抵抗ｂを受け、周期性を以って該出力部４０の外力が該震動部３０を該弾力部２０上にて震動を維持するようになっており、該出力部４０の外力角周波ωが該弾力部２０の自由な固有周波数ωοと等しくなり（ω＝ωο）、該震動部３０を制御する震動品質Ｑｒは、該出力部５０の外力エネルギを最低限で消耗される。震動の過程における保存エネルギーと消耗エネルギーとの関係式は
【式１】
2004223336.tif 000003
適切な材料を用いるという条件下で、明かに該震動部３０の質量ｍ（この質量とは出力部の質量を加えた質量）、及び弾力部２０の弾力係数ｋ、及び抵抗力ｂは増加せず（或いは過大な増加をせず）、つまり震動の品質Ｑｒをほどよくコントロールできることになり、非常に有効な省電力効果を上げることができる。
【０００８】
また上述の実施例により、該震動部３０は剛性を具有する金属などによるものがよく、相当な応力を具有する材質を選択することにより、変形による震動への悪影響を防止することができる。
該震動部３０の震動を震動エネルギーを外殻上に伝動するのみとする他、図３に示すような実施例では、該震動部３０の両端にそれぞれ一つづつ、該震動部３０上で扇型を描いて運動する振り子３２を枢設する。該振り子３２は剛性を具有する材質によるものであり、該振り子３２のもう一端にはハンマーヘッド３２１が設けられている。また該震動部３０の枢設個所は、該外殻１０に設けられた支部１００付近に位置しており、該支部１００の支えによって該ハンマーヘッド３２１が相対運動を起し（図４参照）、尚該外殻１０上にぶつかるため、該外殻１０の震動効果が更に顕著に高められる。該ハンマーヘッド３２１が該外殻１０にぶつかるとき、ちょうど該震動部３０の震動過程の動勢に反する位置にあたり、よって過大な抵抗力が生まれないため、電力が極力少ない状態で震動が維持される。
【０００９】
また図５に示すように、該震動部３０上に設置される弾力部２０は二個、或いは二個以上としても、上述同様の項かが得られる。
更に図６に示すように、該震動部３０の震動は振り子式によって提供される震動としてもよく、弾力部２０Ａと震動部３０Ａの一端を連結させ、該弾力部２０Ａの湾曲や伸縮が、該震動部３０Ａを該弾力部２０固有の自由な周波によって扇形に震動し、且つ該震動部３０Ａのもう一端は磁力によって引かれる磁石や金属による出力部４０Ａを設け、該出力部４０Ａは震動部３０Ａ上の震動する方向に対応して設けられており、且つ磁力を発生させることのできる電磁コイル５０Ａを更に相対した個所に設ける。
こうすることで携帯電話の着信によって電磁コイル５０Ａに電流が流れ、周期性を以って該出力部４０Ａに引っ張る力を提供し、即ち該引っ張る力が震動部３０Ａに対する外力となり、該震動部３０Ａの該弾力部２０Ａ上における震動を起し、且つ維持することができるようになる。
【００１０】
【発明の効果】
本発明によると、簡単な構造により、携帯電話震動時に消耗される電力を極力抑え、且つ震動を長く維持させることに成功した。
【図面の簡単な説明】
【図１】本発明における第一実施例の構造説明図である。
【図２】図１における動作の説明図である。
【図３】本発明における第二実施例の構造説明図である。
【図４】図３における振り子の動作を示す図である。
【図５】本発明における第三実施例の構造説明図である。
【図６】本発明における第四実施例の構造説明図である。
【符号の説明】
１０  外殻
１００  支部
２０，２０Ａ    弾力部
３０，３０Ａ    震動部
３１  パイロット桿
３２  振り子
３２１  ハンマーヘッド
４０，４０Ａ    出力部
５０，５０Ａ    電磁コイル
【図１】
2004223336.tif 000004
【図２】
2004223336.tif 000005
【図３】
2004223336.tif 000006
【図４】
2004223336.tif 000007
【図５】
2004223336.tif 000008
【図６】
2004223336.tif 000009